(57)【要約】【課題】ホログラム記録媒体の性能を評価する際、多重記録数を増加させても高精度にＭナンバーの測定が可能な評価装置を提供すること。【解決手段】記録媒体評価装置１は、記録媒体２４０にレーザビームを照射してホログラムを記録・再生する光学系１００と、記録媒体にレーザビームの記録角度を変えて複数のホログラムを多重記録する多重記録制御部１１０と、多重記録した複数のホログラムの回折効率から記録媒体のＭナンバーを計算する評価部１７０と、を備える。ここに多重記録制御部１１０は、直交する２つの軸を回転中心とした角度多重記録を行い、直交する２つの軸の少なくとも一方の記録角度の設定を不等間隔とする。【選択図】図１
2019053127.tif 000002
【特許請求の範囲】
【請求項１】
ホログラムを記録する記録媒体の性能を評価する記録媒体評価装置において、
前記記録媒体にレーザビームを照射してホログラムを記録するとともに記録したホログラムを再生して回折光を検出する光学系と、
前記記録媒体に前記レーザビームの記録角度を変えて複数のホログラムを多重記録するために、前記記録媒体を支持する前記光学系内の自動ステージを制御する多重記録制御部と、
前記光学系により多重記録した複数のホログラムを再生して回折効率を測定し、前記記録媒体の性能評価値であるＭナンバーを計算する評価部と、を備え、
前記多重記録制御部による多重記録方法は、直交する２つの軸を回転中心とした角度多重記録であって、前記直交する２つの軸の少なくとも一方の記録角度の設定を不等間隔としたことを特徴とする記録媒体評価装置。
【請求項２】
請求項１に記載の記録媒体評価装置において、
前記多重記録制御部による多重記録方法として、前記レーザビームの入射面に対して垂直な軸を中心に前記記録媒体を回転させるチルト角度多重と、前記記録媒体に垂直な軸を中心に前記記録媒体を回転させるペリストロフィック多重を用いることを特徴とする記録媒体評価装置。
【請求項３】
請求項２に記載の記録媒体評価装置において、
前記チルト角度多重における記録角度の設定を不等間隔とし、前記ペリストロフィック多重における記録角度の設定を等間隔としたことを特徴とする記録媒体評価装置。
【請求項４】
請求項１に記載の記録媒体評価装置において、
前記記録媒体に多重記録を行う際の角度設定に関する記録スケジュールを格納するスケジュール格納部と、を備え、
前記多重記録制御部は、前記記録スケジュールに従って前記光学系内の前記自動ステージを制御することを特徴とする記録媒体評価装置。
【請求項５】
請求項４に記載の記録媒体評価装置において、
前記記録媒体の情報に応じて前記記録スケジュールを作成するスケジュール作成部を備え、
前記記録スケジュールは、ホログラムの記録再生時、他の記録角度にて先行して記録された再生対象以外のホログラムからブラッグ条件が満たされることで発生する不要回折光を計算で求め、該不要回折光を検出しない角度に新たな記録角度を設定したものであることを特徴とする記録媒体評価装置。
【請求項６】
請求項４に記載の記録媒体評価装置において、
前記記録媒体の情報に応じて前記記録スケジュールを作成するスケジュール作成部を備え、
前記記録スケジュールは、各記録角度にて記録された各々のホログラムを再生するとき、各々の回折光が検出される再生時の角度が１つだけとなるように記録角度を設定したものであることを特徴とする記録媒体評価装置。
【請求項７】
ホログラムを記録媒体に記録することでデータの記録再生を行う記録再生装置において、
記録データに基づいて変調されたレーザビームを前記記録媒体に照射してホログラムを記録するとともに記録したホログラムを再生して回折光を検出する光学系と、
前記記録媒体にレーザビームの記録角度を変えて複数のホログラムを多重記録するために、前記記録媒体を支持する前記光学系内の自動ステージを制御する多重記録制御部と、
前記光学系により検出した回折光の信号から再生データを生成する信号処理部と、を備え、
前記多重記録制御部による多重記録方法は、直交する２つの軸を回転中心とした角度多重記録であって、前記直交する２つの軸の少なくとも一方の記録角度の設定を不等間隔としたことを特徴とする記録再生装置。
【請求項８】
ホログラムを記録媒体に記録することでデータの記録再生を行う記録再生方法において、
記録データに基づいて変調されたレーザビームを前記記録媒体に照射してホログラムを記録する記録ステップと、
前記記録媒体に記録したホログラムを再生して回折光を検出し再生データを生成する再生ステップと、を備え、
前記記録ステップは、直交する２つの軸を回転中心とし、前記記録媒体に前記レーザビームの記録角度を変えて複数のホログラムを多重記録するものであって、前記直交する２つの軸の少なくとも一方の記録角度の設定を不等間隔としたことを特徴とする記録再生方法。
【発明の詳細な説明】
【技術分野】
【０００１】
本発明は、記録媒体にホログラムを多重記録する場合の記録媒体評価装置、記録再生装置、及び記録再生方法に関する。
【背景技術】
【０００２】
記録媒体にホログラムの多重記録を行う際の記録媒体の評価技術として、記録媒体の評価指標であるＭナンバーを測定する方法が知られる。例えば特許文献１に記載される評価装置では、「ホログラム記録媒体にデータを記録する際、ホログラム記録媒体に記録データに相当する信号を含んだ情報レーザ光を照射する情報レーザ光照射手段と、ホログラム記録媒体にデータを記録する際、ホログラム記録媒体に情報レーザ光とは異なった角度で記録用参照レーザ光を照射する記録用参照レーザ光照射手段と、ホログラム記録媒体にデータを記録する際、ホログラム記録媒体の記録領域の回折効率を測定する回折効率測定手段と、ホログラム記録媒体に回折効率が飽和するまで多重記録を行い、各記録における回折効率から計算したＭナンバーを評価用特性として計測する多重記録性能計測手段とを備える」構成となっている。
【先行技術文献】
【特許文献】
【０００３】
【特許文献１】特開２００７−２２５６５６号公報
【発明の概要】
【発明が解決しようとする課題】
【０００４】
ホログラム記録媒体のＭナンバー（以下、Ｍ／＃と記述する）の測定に用いられる評価装置では、２つのビームを媒体の同一箇所に照射することで、平面波ホログラムを記録している。この平面波ホログラムを媒体の角度を変えて多重記録することにより、独立な平面波ホログラムを複数記録し、それぞれの平面波ホログラムの回折効率を測定することによって、Ｍ／＃を求めている。ここでＭ／＃は、記録媒体内の記録材料を略全て使い切る、つまり回折効率がおおよそ０となる（感度がほぼなくなる）まで多重記録を行い、記録した平面波ホログラムの全ての回折効率から、後述する計算式（数式１）を用いて算出することができる。このＭ／＃測定の課題は、評価対象のＭ／＃が大きくなると測定精度が劣化することである。以下、その理由を説明する。
【０００５】
評価対象のＭ／＃が大きくなると、それに伴って記録媒体内の記録材料を略全て使い切るための「多重記録数」が大きくなる。また、多重記録数を変えない場合は、記録する平面波ホログラム１つ１つの「回折効率」が大きくなる。つまり、Ｍ／＃の大きな記録媒体を評価するためには、「多重記録数」か「回折効率」のどちらか、または両方を増加させなければならない。
【０００６】
しかし、「回折効率」を増加させる場合、平面波ホログラムの回折効率の上限は理想的には１００％であるが、実際には十数％以下にしなければ測定精度が劣化する。なぜなら、回折効率を大きくするためには、大きな光エネルギーを照射する必要があり、それゆえ露光時間を長くするか露光パワーを大きくしなければならない。露光時間を長くすると振動などの影響を受けやすくなり、ホログラムの回折効率が本来よりも低下してしまう。また、露光パワーを大きくすると媒体の非線形性が表れて、やはり本来よりも回折効率が低下してしまう。例えばフォトポリマーの場合は、媒体内で開始剤が局所的に枯渇する、あるいは媒体の反応を開始するラジカルの濃度が飽和してラジカル同士の反応が起きることにより、重合反応が阻害されて媒体の非線形性が表れ、ホログラムの回折効率が本来よりも低下する。他にも、記録媒体の表面や裏面での反射光による意図しないホログラムの形成や、後述する散乱光ホログラムの影響も大きい。以上の理由により、回折効率が十数％以下に抑えて評価せねばならない。
【０００７】
そこで、回折効率を上限である十数％以下とし、「多重記録数」を増加させることにより、Ｍ／＃の大きい媒体を評価する方法が有効となる。ただしその場合でも、評価装置の光学系の制限から多重記録数に上限があり、この上限を超えて記録を行うと、平面波ホログラム間のクロストークや後述する散乱光ホログラムの影響、後述する意図せぬブラッグマッチなどの不要な回折光により、測定精度が劣化する課題がある。
【０００８】
特許文献１に記載の評価装置では、Ｍ／＃の大きい媒体に対応するため多重記録数を増加させた場合、再生時に発生する不要な回折光によるＭ／＃測定精度の劣化に関しては特に考慮されていない。
【０００９】
本発明の目的は、ホログラム記録媒体の性能を評価する際、多重記録数を増加させても高精度にＭナンバーの測定が可能な記録媒体評価装置を提供することである。
【課題を解決するための手段】
【００１０】
本発明による記録媒体評価装置は、記録媒体にレーザビームを照射してホログラムを記録するとともに記録したホログラムを再生して回折光を検出する光学系と、記録媒体にレーザビームの記録角度を変えて複数のホログラムを多重記録するために、記録媒体を支持する自動ステージを制御する多重記録制御部と、多重記録した複数のホログラムを再生して回折効率を測定し、記録媒体の性能評価値であるＭナンバーを計算する評価部と、を備える。ここに多重記録制御部による多重記録方法は、直交する２つの軸を回転中心とした角度多重記録であって、直交する２つの軸の少なくとも一方の記録角度の設定を不等間隔としたことを特徴とする。
【発明の効果】
【００１１】
本発明によれば、２軸の多重記録を併用して記録媒体を評価するとき、意図せぬブラッグマッチによる不要回折光の発生を抑制することでＭナンバーを高精度に評価することができる。
【図面の簡単な説明】
【００１２】
【図１】記録媒体評価装置１のシステム構成を示す図（実施例１）。
【図２】光学系１００の構成を示す図。
【図３】記録媒体の評価を行う際のフローチャート。
【図４】２つの回転軸による多重記録方法の概略図。
【図５】ホログラフィックスキャッタリング現象の説明図。
【図６】１つの記録ホログラムに対するＵＢラインを示す図。
【図７Ａ】チルト多重におけるＵＢラインの分布を示す図。
【図７Ｂ】ペリストロフィック多重におけるＵＢラインの分布を示す図。
【図７Ｃ】２軸併用多重におけるＵＢラインの分布を示す図。
【図８】記録角度の決定方法を示すフローチャート。
【図９】ブラッグマッチの回避を説明する図。
【図１０Ａ】記録角度スケジュールの作成例（従来法）を示す図。
【図１０Ｂ】記録角度スケジュールの作成例（本実施例）を示す図。
【図１０Ｃ】不等間隔記録の作成例１を示す図。
【図１０Ｄ】不等間隔記録の作成例２を示す図。
【図１１Ａ】不要回折光の測定結果（従来法）を示す図。
【図１１Ｂ】不要回折光の測定結果（本実施例）を示す図。
【図１２】記録再生装置２のシステム構成を示す図（実施例２）。
【図１３】光学系１００’の構成を示す図。
【発明を実施するための形態】
【００１３】
以下、本発明の実施形態を、記録媒体評価装置と記録再生装置に分けて説明する。
【実施例１】
【００１４】
実施例１では、記録媒体評価装置について説明する。記録媒体評価装置（以下、平面波テスタとも記述する）は、ホログラム記録媒体にレーザビームを照射して平面波ホログラムを記録し、この平面波ホログラムを媒体の角度を変えて多重記録する。そして、それぞれの平面波ホログラムの回折効率から媒体性能の評価値であるＭナンバー（Ｍ／＃）を求めるものである。
【００１５】
図１は、記録媒体評価装置（平面波テスタ）１のシステム構成を示す図である。装置構成は、記録媒体にレーザビームを照射する光学系１００、記録媒体に多重記録を行うために光学系１００内の自動ステージを制御する多重記録制御部１１０、レーザのＯＮ／ＯＦＦ、出力強度、波長、偏光方向、コヒーレンスなどの各種パラメータを制御するレーザ制御部１２０、シャッタの開閉を制御するシャッタ制御部１３０、上記各制御部に制御信号を送るコントローラ１４０を備える。
【００１６】
またコントローラ１４０には、記録媒体の情報（屈折率、厚みなど）を入力する入力装置１５０、評価結果を出力する出力装置１６０、光学系１００の検出値から記録媒体のＭ／＃や感度などの値を計算する評価部１７０が接続される。コントローラ１４０は、スケジュール格納部１８０に格納されている媒体情報に応じた記録スケジュールに従い評価を実行し、スケジュール作成部１９０は評価のための最適な記録スケジュールを作成する。ここで記録スケジュールとは、記録媒体に多重記録を行う際の角度設定のことである。
【００１７】
図２は、光学系１００の構成を示す図である。まず、レーザ２００から出射された直線偏光を有する単色の光ビームは、シャッタ２０１を通過後、ビームエキスパンダー２１０によって所望のビーム径となるように拡大され、ミラー２２０，２２１、偏光方向可変素子２２２を通過した後、偏光ビームスプリッタ２３０により信号光２３６と参照光２３７の２つのビームに分割される。偏光ビームスプリッタ２３０は、入射光の偏光方向によって出射する２つのビームの強度比が変わるため、偏光方向可変素子２２２によって偏光方向を調整することにより、２つのビームの強度比を所望の値に調整することができる。
【００１８】
信号光２３６は、偏光方向可変素子２３１を透過後にミラー２３２で反射されて、シャッタ２０２を通過後に記録媒体２４０に入射する。一方、参照光２３７は、ミラー２３３で反射されてビームスプリッタ２３４を透過後、記録媒体２４０に入射する。また、ビームスプリッタ２３４で反射されたビームは光検出器２３５に入射する。
【００１９】
光検出器２６０および２５０は、それぞれ信号光２３６と参照光２３７の入射する位置に設置されている。また、記録媒体２４０は自動ステージ２７０に支持され、自動ステージ２７０を回転駆動することで記録媒体２４０への光ビームの入射角度を調整し、角度を変えて複数のホログラムを多重記録することができる。ＬＥＤ（Light-Emitting Diode）光源２８０は、記録媒体２４０のプリキュア処理を行うためのものである。
【００２０】
記録媒体２４０に記録を行う際は、信号光２３６を、偏光方向可変素子２３１を用いてＳ偏光（信号光と参照光が張る面（入射面）に対して垂直の偏光方向）に調整し、シャッタ２０１，２０２を開くことで記録媒体に入射させる。このとき、信号光２３６と参照光２３７は共にＳ偏光となっている。これにより、記録媒体に信号光２３６と参照光２３７の干渉パターンがホログラムとして記録される。ここで、信号光２３６と参照光２３７は共に平行光（平面波）であるため、記録されるホログラムは平面波ホログラムと呼ばれる。
【００２１】
再生時は、シャッタ２０２を閉じて、参照光２３７だけを記録媒体２４０に入射させる。参照光２３７の入射角度に対応するホログラムが記録されていれば、参照光２３７の一部はホログラムにより回折され回折光となり光検出器２６０に入射する。また、参照光２３７の透過光は、光検出器２５０に入射する。回折光と透過光の光強度を検出することで、回折効率からＭ／＃求め、記録媒体２４０の評価を行うことができる。
【００２２】
図３は、記録媒体の評価を行う際のフローチャートである。以下、ステップの順に説明する。まず入力装置１５０から、コントローラ１４０を介してレーザ制御部１２０にレーザ発振を開始させるよう指示する（Ｓ３００）。レーザ制御部１２０ではレーザの発振を行い、さらに、出力強度、波長、偏光方向、コヒーレンスなどの各種パラメータを所望の値になって安定するように調整する。
【００２３】
続いて、信号光２３６と参照光２３７のパワー測定と各種調整を行う（Ｓ３０１）。まず、コントローラ１４０を介して、シャッタ制御部１３０にシャッタ２０１，２０２を開くよう指示する。そして、光検出器２３５の検出信号を読み出すことで、入射光の強度を予め取得しておく。記録媒体に入射する入射光の強度は、光検出器２３５で得られた検出信号に予め決められた定数を掛けることで算出される。ここでの定数は、ビームスプリッタ２３４の反射率と透過率を用いて決める。また、光検出器２６０，２５０の検出信号を読み出すことで、信号光２３６と参照光２３７の強度を取得し、それらの強度が所望の値となるように調整を行う。ここで、信号光２３６と参照光２３７の強度比は１：１となるように調整する。
【００２４】
続いて、評価対象の記録媒体２４０を自動ステージ２７０に設置する（Ｓ３０２）。そして、記録の前処理であるプリキュア処理を行う（Ｓ３０３）。プリキュア処理では、フォトポリマーにおける酸素などの不純物による重合阻害を抑制するために、記録光に近い波長のＬＥＤ光源２８０などのインコヒーレント光を照射する。なお、ＬＥＤ光は拡散光であるため、記録媒体の表面にマスクを設置して記録領域以外を遮光しておく。
【００２５】
次に、記録を開始する。まずスケジュール格納部１８０は、予めスケジューリングしておいた記録角度をコントローラ１４０を介して多重記録制御部１１０に送り、自動ステージ２７０によって記録媒体２４０の角度を調整する（Ｓ３０４）。所定の角度に調整が完了したら、コントローラ１４０を介してシャッタ制御部１３０に予め定めた露光時間を送り、シャッタ２０１，２０２を開いて、所望のエネルギーでの露光処理を行う（Ｓ３０５）。この操作を記録回数が予め定めた設定値となるまで繰り返し（Ｓ３０６）、記録角度を変えながら多重記録を実施する。記録が終了したら、反応が終了するのを数分程度待って（拡散待ち、暗反応待ち）（Ｓ３０７）、ＬＥＤ光源２８０を用いて後処理であるポストキュア処理を行う（Ｓ３０８）。
【００２６】
次に、再生を開始する。記録時と同様に、予めスケジューリングしておいた再生角度に、自動ステージ２７０によって記録媒体２４０の角度を調整する（Ｓ３０９）。再生用の参照光を照射し（Ｓ３１０）、光検出器２３５，２６０，２５０を用いて参照光、回折光、透過光の光強度を検出する（Ｓ３１１）。この操作を再生回数が予め定めた設定値となるまで繰り返し（Ｓ３１２）、再生角度を変えながら再生を実施する。再生が終了したら評価部１７０は、得られた光強度の値を用いて、後述する方法によってＭ／＃や不要回折効率を計算する（Ｓ３１３）。そしてレーザ発振を停止させて（Ｓ３１４）、記録媒体の評価を終了する。以下では、得られた光強度の値を用いて、記録媒体の評価指標を計算する方法を説明する。
【００２７】
本実施例の評価装置では、記録媒体の評価指標であるＭ／＃を測定する。Ｍ／＃は、数式１により定義される。
【００２８】
【数１】
2019053127.tif 000003
【００２９】
ここで、Ｍは多重記録数であり、ηiintは、ｉ番目に記録したホログラムの内部回折効率である。また、内部回折効率ηintは、数式２により定義される。
【００３０】
【数２】
2019053127.tif 000004
【００３１】
ここで、Ｉdiffは、再生時に光検出器２６０で検出した回折光の光強度であり、Ｉtranは、光検出器２５０で検出した透過光の光強度である。
【００３２】
数式１の定義は、平面波ホログラムの回折効率の計算に広く用いられるＫｏｇｅｌｎｉｋの結合波理論に基づき、回折効率ηが屈折率変調量の振幅Δｎに比例した値の正弦（ｓｉｎ）の２乗に比例していることを用いている。なお、従来は、Ｍ／＃の定義として近似式、Ｍ／＃＝Σｉ√ηiintが用いられてきたが、この定義は、数式１においてｓｉｎ−１θ≒θの近似を用いた形となっており、回折効率が大きい場合には成立しないためにＭ／＃の誤差が発生する。よって、本実施例では数式１の定義を用いることにより、高精度にＭ／＃を求めている。
【００３３】
上記のＭ／＃算出方法では、理想的な条件では、高精度にＭ／＃を測定可能であるが、不要な回折光が発生した場合には、Ｍ／＃の測定精度が劣化する課題がある。不要な回折光とは、再生時に、光検出器２５０．２６０以外の位置に回折する光であり、例えば、２軸多重記録の際にブラッグ条件が満たされて、意図しない回折光が発生することがある。以後、これを不要回折光（Undesired Diffraction：ＵＤ）と呼ぶ。以下では、不要回折光によるＭ／＃の測定誤差について説明する。
【００３４】
まず、Ｍ／＃の測定誤差を表す指標ＭＥ（Ｍ／＃−measurement Error）を数式３で定義する。
【００３５】
【数３】
2019053127.tif 000005
【００３６】
ここで、Ｍ／＃trueはＭ／＃の真値であり、Ｍ／＃measureは、誤差を含むＭ／＃の測定結果である。
【００３７】
続いて、不要回折光（ＵＤ）の回折効率ηＵＤを数式４によって定義する。
【００３８】
【数４】
2019053127.tif 000006
【００３９】
ここで、Ｉincは光検出器２３５を用いて得られる入射光の光強度、Ｔは記録媒体の再生時のブラッグマッチしていないときの透過率、ηextは数式５で定義される外部回折効率である。
【００４０】
【数５】
2019053127.tif 000007
【００４１】
以上の定義により、不要回折光の回折効率ηＵＤを定量的に評価することができる。
【００４２】
次に、不要回折光の回折効率ηＵＤと、Ｍ／＃の測定誤差ＭＥの関係について説明する。上記と同様に、Ｍ／＃の測定誤差ＭＥを不要回折光が発生した場合で計算する。まず数式３の定義から、不要回折光が発生しないときの回折効率ηtrueと、発生したときの回折効率ηｘ（発生している不要回折光を考慮せずに計算した回折効率）を用いて、不要回折光発生によるＭ／＃測定誤差ＭＥＵＤを数式６により表す。
【００４３】
【数６】
2019053127.tif 000008
【００４４】
ここで、ｍは多重記録数を表し、記録されているホログラムが全て同じ回折効率であることを仮定した。ηｘは数式７により表される。
【００４５】
【数７】
2019053127.tif 000009
【００４６】
数式７では、不要回折光は、透過光Ｉtranの一部が回折されることにより発生すると仮定している。この仮定は、ホログラムの回折効率が低く一次回折のみを考慮した場合に妥当な近似となる。以上から、数式２と数式７を用いて、不要回折光の発生によるＭ／＃の測定誤差ＭＥＵＤは数式８で表される。
【００４７】
【数８】
2019053127.tif 000010
【００４８】
ここで、不要回折光の回折効率ηＵＤ＜＜１と仮定して最後の近似を行った。
【００４９】
以上により、不要回折光の回折効率ηＵＤの１／２がＭ／＃の測定誤差ＭＥＵＤとなることが導かれる。よって、例えばＭＥＵＤを１％以下にするためには、ηＵＤを２％以下にしなければならない。以下では、Ｍ／＃の大きい記録媒体の評価時における不要回折光の回折効率ηＵＤについて考察して、Ｍ／＃を高精度に測定するためにηＵＤを低減する方法について説明する。
Ｍ／＃の大きい記録媒体を高精度に測定するためには、多重記録数を増加させる必要があり、そのための多重記録方法について説明する。
【００５０】
図４は、２つの回転軸による多重記録方法の概略図である。記録媒体２４０において、記録するホログラムの位置を符号４１０で表している。多重記録数を増加させるため、「角度多重」と「ペリストロフィック多重」と呼ばれる２つの回転軸を用いて行う。なお、「角度多重」と「ペリストロフィック多重」はいずれも記録角度を変化させて記録するものであり、両者を区別するために、以下では「角度多重」を「チルト角度多重」または「チルト多重」と呼ぶことにする。
【００５１】
チルト角度多重は、信号光２３６と参照光２３７が張る面（入射面）４０２に対して垂直な軸（チルト多重軸）４２０を中心に媒体を回転させて多重記録を行う方法である。一方、ペリストロフィック多重は、記録媒体２４０に垂直な軸（ペリストロフィック多重軸）４３０を中心に媒体を回転させて多重記録を行う方法である。２つの回転軸は直交しているため、独立に角度を変化させることができ、２つの多重記録を併用することで多重記録数を増大させることができる。そのため自動ステージ２７０は、「チルト角度多重」と「ペリストロフィック多重」の２つの軸で回転を行うことができる２軸ステージを用いている。
【００５２】
チルト多重とペリストロフィック多重におけるブラッグ選択性は、角度にして１００倍程度異なっている。例えば記録条件を、信号光と参照光の２光束の空気中入射角２２．２５ｄｅｇ、屈折率１．５、媒体厚み１．５ｍｍ、波長４０５ｎｍとする。チルト多重記録では、ブラッグ選択性の１ｓｔ−ｎｕｌｌの角度（媒体内）は０．０３２ｄｅｇ程度となるため、通常０．１ｄｅｇ程度以上の間隔で多重記録を行うことで隣接ホログラムからのクロストークを抑制する。よって、チルト多重のみで記録し、ステージのチルト多重軸４２０の駆動範囲が±１０ｄｅｇのとき、最大の多重記録数は２００多重となる。一方、ペリストロフィック多重記録では、同様の条件でのブラッグ選択性は３ｄｅｇ程度となるため、９ｄｅｇ程度の間隔で多重記録することができ、ペリストロフィック多重軸４３０の駆動範囲が±９０ｄｅｇのとき、最大の多重記録数は２０多重となる。
【００５３】
よって、２軸併用による多重記録では、原理的におよそ２００多重×２０多重＝４０００多重が可能である。但し、チルト多重数を増大させると、ホログラフィックスキャッタリングと呼ばれる現象により不要回折光が発生することが知られている。さらに、チルト多重とペリストロフィック多重の２軸併用による多重記録の場合、意図せぬブラッグマッチによる不要回折光が発生することが判明した。以下、これらの不要回折光により多重記録数が制限されることについて説明する。
【００５４】
図５は、ホログラフィックスキャッタリング現象の説明図である。ホログラフィックスキャッタリングは、記録媒体２４０内に光４００を入射したときに発生する微弱な散乱光と、信号光および参照光の２光束が干渉して発生するホログラム（以後、散乱光ホログラムと呼ぶ）が要因となり発生する不要回折光である。発生原理の詳細は省略するが、例えばチルト多重を２００多重行うと本現象が発生する。図５に示すように、媒体後面にスクリーン５００を置くと、再生時にライン状の不要回折光５１０が発生する。不要回折光５１０の回折効率は、チルト多重の記録間隔（角度間隔）に大きく依存し、記録間隔が狭くなるほど大きくなる。
【００５５】
よって、本現象を回避するためには、チルト多重の記録角度間隔を大きくする必要があり、実験によれば１ｄｅｇ以上離す必要がある。なお、ホログラフィックスキャッタリングは、原理的にペリストロフィック多重には影響しない。よって、２軸併用時のチルト多重の上限は２０多重であり、ペリストロフィック多重の上限である２０多重と合わせ、両者で４００多重となる。
【００５６】
例えば、チルト多重を−８ｄｅｇ〜＋８ｄｅｇの範囲で１ｄｅｇ間隔で１７多重して、ペリストロフィック多重を−８０ｄｅｇ〜＋８０ｄｅｇの範囲で１０ｄｅｇ間隔で１７多重すれば、合わせて１７×１７＝２８９多重が可能となる。しかしこの場合にも、ホログラフィックスキャッタリングとは異なる不要回折光が発生することが判明した。この不要回折光は、２軸併用による「意図せぬブラッグマッチ」によるものであり、以下、その発生メカニズムについて説明する。
【００５７】
２軸併用にてチルト多重角度θｗ、ペリストロフィック多重角度φｗで記録を行ったホログラムを、Ｈ（θｗ、φｗ）と表すこととする。このホログラムを、チルト多重角度θｐ、ペリストロフィック多重角度φｐの再生光Ｒ（θｐ、φｐ）を用いて再生したときに、回折光が発生する条件は、ボルン近似を用いると数式９により表される。本来、回折光は記録時の角度と等しい角度（θｐ＝θｗ、φｐ＝φｗ）で再生するときに得られるものであるが、それ以外の再生角度においても回折光が発生すること、すなわち２軸併用記録に伴い不要回折光が発生することを意味する。
【００５８】
【数９】
2019053127.tif 000011
【００５９】
ここで、θｃは、チルト多重軸の回転０ｄｅｇのときの信号光と参照光の入射角度、ｎは記録媒体の屈折率である。数式９は適当な近似を用いることで、数式１０の形に書き換えることができる。
【００６０】
【数１０】
2019053127.tif 000012
【００６１】
ここで、ｆは近似の精度を決めるパラメータである。
【００６２】
図６は、１つの記録ホログラムに対して回折光が得られる再生角度の組み合わせ（ＵＢライン）を示す図である。ここでは、記録ホログラムがＨ（θｗ＝０、φｗ＝０）のとき、回折光が得られる再生光Ｒのチルト多重角度θｐとペリストロフィック多重角度φｐの関係を、数式１０を用いてプロットしている。ここで、入射角度θｃは２２．２５ｄｅｇとした。
【００６３】
図６のグラフでは、記録位置６１０を中心に、上下に放物線状のライン６００が形成されている。このラインは意図せぬブラッグマッチライン（Unintended Bragg-match Line）であり、以下、「ＵＢライン」と呼ぶことにする。このＵＢライン上では、数式９および数式１０が成立するため、ブラッグ条件が満たされて、回折光が発生する。この回折光は、記録時と同じ条件で再生した場合、つまりθｐ＝θｗ、φｐ＝φｗでの再生時は、回折光が光検出器２６０に入射する本来の再生光となるが、そうでない場合、つまりθｐ≠θｗまたはφｐ≠φｗのときは、回折光が光検出器２６０に入射せず不要回折光となる。
【００６４】
よって、不要回折光を発生させないためには、Ｈ（０，０）で記録した後は、Ｈ（０，０）が作るＵＢライン６００上にない（ＵＢラインを踏まない）角度関係で次の記録を行う必要がある。しかしながら、通常は、チルト多重、ペリストロフィック多重共に等間隔に記録するために、２軸併用ではＵＢラインを踏んで記録せざるを得ない場合が多い。
【００６５】
図７Ａ〜図７Ｃは、多重記録におけるＵＢラインの分布を示す図であり、記録位置（記録角度）を円形のマークで示している。図７Ａは、チルト多重のみを行ったときのＵＢラインの分布である。この場合は図面縦方向に順次記録を行うこととなり、記録位置が先に形成されたＵＢラインを踏むことはない。また、図７Ｂは、ペリストロフィック多重のみを行ったときのＵＢラインの分布である。この場合は、図面横方向に順次記録を行うこととなり、この場合も記録位置が先に形成されたＵＢラインを踏むことはない。
【００６６】
一方、図７Ｃでは、チルト多重とペリストロフィック多重を併用しているときのＵＢラインの分布であり、ＵＢラインが複雑に形成されて、ＵＢラインを踏んで記録している部分が存在することが分かる。また、多重記録数が増えるほど、不要回折光の発生確率が高くなる。よって、チルト多重またはペリストロフィック多重の１軸のみ用いて多重記録を行う場合は、意図せぬブラッグマッチによる不要回折光が発生することはないが、２軸併用すると、不要回折光が発生することになる。
【００６７】
以上のように、２軸併用多重記録時に、各軸において等間隔の角度で記録を行うと、先に形成されたＵＢライン上の点でも記録を行うこととなり、不要回折光が発生する。そこで本実施例では、先に形成されたＵＢライン上の点で記録を行わないように記録角度を調整して、不要回折光の発生を回避するようにした。これにより、Ｍ／＃の大きな記録媒体においても高精度にＭ／＃測定を行うことが可能となる。以下、記録角度の調整方法の詳細を説明する。
【００６８】
以下に述べる２軸併用多重記録時の記録角度の調整では、ペリストロフィック多重の角度を予め定めた間隔で固定し、これに合わせてチルト多重の角度を調整することで、ＵＢライン上の点に記録することのない記録角度（記録スケジュール）を決定する。逆に、チルト多重の角度を予め定めた間隔で固定し、これに合わせてペリストロフィック多重の角度を調整する方法、または、両方の角度を同時に調整する方法も可能である。但し、記録媒体の収縮の影響を考慮すると、収縮によりチルト多重の記録角度と再生角度は変化するが、ペリストロフィック多重の記録角度と再生角度はほとんど変化しない。そのため、収縮の影響を受けにくいペリストロフィック多重角度を固定することで、再生角度の探索をチルト多重軸のみで行うことができ、収縮耐性が高い記録方法となる。
【００６９】
図８は、記録角度の決定方法を示すフローチャートである。記録角度の決定作業はスケジュール作成部１９０により実行され、その結果は、記録角度スケジュールとしてスケジュール格納部１８０に格納される。チルト多重角度の調整条件は、最低角度間隔を１ｄｅｇ、探索角度間隔を０．０１ｄｅｇに設定している。なお、ｋ番目のチルト多重の記録角度をＷ（ｋ）で表す。探索中の記録角度をＡで表し、その上限値Ａｍａｘを１０ｄｅｇとする。また、ブラッグマッチの判定に用いる閾値ＴＨを２．４と定める。
【００７０】
まず、ペリストロフィック多重角度の設定を行う（Ｓ８００）。ここで、ペリストロフィック多重角度の設定値は、−９０ｄｅｇ〜＋９０ｄｅｇの範囲で１０ｄｅｇの等間隔とする。これにより、記録角度の周期性から全てのペリストロフィック多重角度で同条件となるため、あるペリストロフィック角度軸のみに着目して、チルト記録角度を最適化することにより、全てのペリストロフィック多重角度で最適化される。
【００７１】
続いて、チルト多重の記録角度の初期値を決める（Ｓ８０１）。例えば、Ｗ（０）＝０として初期値を０ｄｅｇと決める。その後、チルト多重の探索角度を表す変数Ａに０．９９、決定した記録角度の数を表す変数ｉに１を入れる。
【００７２】
次に、Ａ＝Ａ＋０．０１として探索角度をＡ＝１に設定する（Ｓ８０２）。ここで探索角度Ａが上限値Ａｍａｘに達したなら、処理を終了する（Ｓ８０３）。探索角度Ａについて探索処理を開始する（Ｓ８０４）。探索角度Ａで記録したときの記録ホログラムべクトル群を生成し（Ｓ８０５）、記録共役ホログラムベクトル群を生成し（Ｓ８０６）、これに対する再生入射角度を設定して（Ｓ８０７）、回折光ベクトルを計算する（Ｓ８０８）。そして、ブラッグミスマッチ量を計算して回折効率ηを求める（Ｓ８０９）。
【００７３】
ここで、求めた回折効率ηが予め定めた閾値ＴＨを超えるか否かの判定を行う（Ｓ８１０）。閾値ＴＨを超えなければ、先行記録のホログラムにより形成されたＵＢラインを踏んでいない、つまり不要回折光が発生しない条件であるとして、記録角度Ｗ（１）に±Ａの値を格納する（Ｓ８１１）。そして、最低角度間隔１ｄｅｇを加算しＡ＝Ａ＋１として次の探索角度を設定し（Ｓ８１２）、Ｓ８０４に戻り次の計算を行う。ここで探索角度Ａが上限値Ａｍａｘを超えたら、処理を終了する（Ｓ８１３）。
【００７４】
またＳ８１０の判定で、回折効率ηが閾値ＴＨを超えた場合は、ＵＢラインを踏んでおり、不要回折光が発生するものとして、Ｓ８０２に戻り、Ａの値に探索角度間隔０．０１ｄｅｇを加算しＡ＝Ａ＋０．０１として、Ｓ８０３から再度計算を行う。
【００７５】
上記Ｓ８０９における回折効率ηの計算は、再生光と共役光のブラッグミスマッチ量Δｋａ、Δｋｂ、媒体厚みＬを用いて、
η＝ｓｉｎｃ２（Δｋａ＊Ｌ／（２π））＋ｓｉｎｃ２（Δｋｂ＊Ｌ／（２π））
としており、Ｓ８１０における閾値ＴＨは２．４としている。本来の再生光の条件では、Δｋａ＝Δｋｂ＝０となるので、回折効率ηは２以上となる。これにマージン０．４を付加して閾値ＴＨ＝２．４とすることで、記録角度を好適に決定することができる。
【００７６】
以上の処理を、探索角度Ａが予め定めておいたチルト多重の上限値Ａｍａｘに達するまで繰り返したところで、記録角度決定フローを終了する。これにより、Ｗ（ｋ）の各値に記録角度が格納され、記録スケジュールを決定する。
【００７７】
図９は、図８のＳ８１０の判定によりブラッグマッチを回避することを説明する図である。曲線群９０５は先行記録により形成されたＵＢラインである。新たな探索角度９００にて記録した場合の回折効率を計算すると、この点９００はＵＢライン９０５を踏んでいるため、不要回折光が発生して、閾値ＴＨの２．４を超える（ブラッグマッチが発生）。そのため、この点９００での記録を回避して、次の候補点９１０での回折効率を計算する。点９１０は、ＵＢラインを踏んでいないため、回折効率はＴＨの２．４を下回り、記録点として適当であると判定される。
【００７８】
以上のように、図８のフローにより、ブラッグマッチによる不要回折光を抑制した不等間隔の記録角度スケジュールを作成することができる。このようにして作成した記録スケジュールは、各記録角度にて記録された各々のホログラムを再生するとき、各々の回折光が検出される再生時の角度が１つだけとなるように記録角度を設定したものということができる。
【００７９】
図１０Ａ〜図１０Ｄは、記録角度スケジュールの作成例を示す図で、図１０Ａは従来の方法で作成した場合、図１０Ｂは本実施例（図８）の方法で作成した場合である。いずれもチルト多重とペリストロフィック多重を組み合わせ、その記録位置（記録角度）を丸印で示している。２軸の多重記録を併用することで、２５０多重の記録スケジュールを作成した例である。図１０Ａの従来例は、２軸とも多重角度を等間隔に配置しているが、図１０Ｂの本実施例では、ペリストロフィック多重角度は等間隔に、チルト多重角度は不等間隔に配置している。
【００８０】
図１０Ｃと図１０Ｄは、図１０Ｂ（不等間隔記録）を書き直し、チルト多重角度の配置を等間隔の場合からの変位量として表した図である。すなわち、チルト多重角度の配置をθ（等間隔の場合）＋Δθ（変位量）と表したとき、横軸にθを縦軸にΔθを示している。図１０Ｃと図１０Ｄでは変位量Δθが増大する位置が異なっているが、その理由は、図８のフローにおける探索角度の開始位置の違いによるものである。つまり、探索の早い段階では、記録角度決定により先に形成されたＵＢラインが少ないため、変位量Δθが小さくてもＵＢラインを踏むことが少ないが、探索が進むにつれて記録角度決定によるＵＢラインが増加するため、これを避けるために変位量が大きくなることを意味している。
【００８１】
図１１Ａと図１１Ｂは、多重記録により発生した不要回折光の測定結果を示す図で、図１１Ａは従来法（図１０Ａ、等間隔記録）の場合、図１１Ｂは本実施例（図１０Ｂ、不等間隔記録）の場合である。横軸は多重記録したホログラムの番号、縦軸は不要回折光の回折効率ηＵＤを示している。
【００８２】
図１１Ａに示すように従来法の等間隔記録では、不要回折光の回折効率ηＵＤがところどころ６％〜１０％となっており、不要回折光が発生していることが分かる。一方、図１１Ｂに示すように本実施例の不等間隔記録では、不要回折光の回折効率ηＵＤはいずれの位置でも４％以下となっており、不要回折光が低減していることが分かる。なお、いずれの場合にもηＵＤが４％以下で周期的に変動しているのは、前記図５で述べたホログラフィックスキャッタリングの影響である。これを低減するためには、チルト多重の記録角度間隔をさらに広げる必要がある。
【００８３】
この測定結果を用いて不要回折光の回折効率ηＵＤの平均値を比較すると、従来法では２．６％であるのに対して、本実施例では１．６％となっている。前記数式８を用いてＭ／＃の測定誤差を見積もると、従来法が１．３％であるのに対して本実施例では０．８％に低減し、本実施例により１％以下の高精度なＭ／＃測定を実現できることが分かった。
【００８４】
以上のように実施例１によれば、記録媒体評価時に不等間隔の記録スケジュールを用いることにより、意図せぬブラッグマッチによる不要回折光の発生を抑制し、Ｍ／＃の測定精度を向上させることができる。
【実施例２】
【００８５】
実施例１で述べた記録スケジュールの決定方法は、情報を高密度に記録・再生する場合にも適用できる。実施例２では、信号光の強度を記録情報で変調し、予め決定した記録角度スケジュールに従い多重記録を行うことで、意図せぬブラッグマッチによる不要回折光の発生を抑制して高密度の記録再生が可能な記録再生装置について説明する。
【００８６】
図１２は、記録再生装置２のシステム構成を示す図である。記録再生装置（ホログラムメモリ装置）２の構成は実施例１（図１）の記録媒体評価装置１を基本構成としており、異なる部分について説明する。
【００８７】
記録時は、入力装置１５０から入力されたデータを信号処理部１１１０にて記録用に適切な信号に変換する。デバイス制御部１１２０は、記録用信号に基づいて光学系１００’内の空間光変調器１２００を制御することで、信号光を変調する。コントローラ１４０は、スケジュール格納部１８０に格納されている記録スケジュールに従い、記録媒体に対して多重記録を実行する。この記録スケジュールは、実施例１で述べたように記録角度を不等間隔に設定して多重記録を実施するためのものである。再生時はデバイス制御部１１２０によって光学系１００’内のカメラ１２１０を制御することで再生信号光を検出する。検出された信号はコントローラ１４０に送られ、信号処理部１１１０にて必要な再生処理を施して再生データを生成する。
【００８８】
図１３は、光学系１００’の構成を示す図である。実施例１（図２）と比較し、空間光変調器（Spatial Light Modulator：ＳＬＭ）１２００およびカメラ１２１０を追加している点が異なる。ＳＬＭ１２００は空間的に２次元の光変調を行う素子であり、例えば強度２値変調、位相多値変調、または振幅位相多値変調などの光変調が可能である。ＳＬＭ１２００を用いることによって、信号光に２次元データ（ページデータ）を付与することができ、高密度記録が可能である。信号光２３６は、ＳＬＭ１２００を反射して変調が行われた後、ビームスプリッタ１２４０を反射して記録媒体２４０に入射している。また再生時は、記録媒体２４０からの再生光をカメラ１２１０で検出することにより、ページデータを高速に読み出すことができ、データの高速転送が実現できる。
【００８９】
本構成は、一般的なホログラフィックメモリの構成と同様であり、また、ホログラフィックメモリ分野の諸技術を適用しても良い。例えば、ミラー２３３の角度を駆動可能として、リレーレンズを用いることにより参照光２３７の記録媒体２４０への入射角度を変えてチルト多重を行ってもよい。本光学系１００’では、レンズ１２２０，１２３０が信号光路中に挿入されており、これにより、信号光のフーリエ変換、逆フーリエ変換を行う。記録媒体２４０内では、信号光がフーリエ変換された光が記録されるため、ＳＬＭ１２００の各ピクセルに対応する信号が角度の異なる略平行光として入射している。
【００９０】
以上の光学構成で情報（データ）の記録・再生を行う場合、大容量化のためにチルト多重とペリストロフィック多重を併用することが可能である。このとき、実施例１で述べた意図せぬブラッグマッチが発生するとノイズとなり、読み出し時の信号性能の劣化がおこる。そこで本実施例では、数式９（または数式１０）を用いて意図せぬブラッグマッチの発生する角度条件（ＵＢライン）を事前に予測し、ＵＢラインを踏まないように記録角度スケジュールを作成し、これに従い多重記録を実施する。これにより、意図せぬブラッグマッチによるノイズの影響を排除して、高密度な情報の記録・再生を高精度に実現することができる。
【００９１】
以上のように各実施例によれば、ホログラムの記録再生において、チルト角度多重とペリストロフィック多重の２軸の多重記録を併用した場合に、意図せぬブラッグマッチによる不要回折光を抑制して記録再生を行うことができる。これにより、媒体評価時に大きいＭ／＃の記録媒体を高精度に評価することができる。また、情報記録時には、２軸併用による高密度記録時に、ノイズを低減して記録再生を行うことができる。
【００９２】
なお、上記実施例では、チルト角度多重とペリストロフィック多重の２軸併用による多重記録を取り上げて説明したが、これに限定せず、互いに直交する少なくとも２つの軸を回転中心とした多重記録であれば同様に適用できる。
【００９３】
上記した各実施例は、本発明を分かり易く説明するために装置及びシステムの構成を詳細かつ具体的に説明したものであり、必ずしも説明した全ての構成を備えるものに限定されない。また、ある実施例の構成の一部を他の実施例の構成に置き換えることは可能であり、さらにはある実施例の構成に他の実施例の構成を加えることも可能である。
【符号の説明】
【００９４】
１：記録媒体評価装置、２：記録再生装置、１００，１００’：光学系、１１０：多重記録制御部、１４０：コントローラ、１７０：評価部、１８０：スケジュール格納部、１９０：スケジュール作成部、２００：レーザ、２３６：信号光、２３７：参照光、２４０：記録媒体、２５０，２６０：光検出器、２７０：自動ステージ、４２０：チルト多重軸、４３０：ペリストロフィック多重軸、５１０：ホログラフィックスキャッタリング、６００，９０５：意図せぬブラッグマッチライン（ＵＢライン）、１１１０：信号処理部、１１２０：デバイス制御部、１２００：空間光変調器（ＳＬＭ）、１２１０：カメラ。
【図１】
2019053127.tif 000013
【図２】
2019053127.tif 000014
【図３】
2019053127.tif 000015
【図４】
2019053127.tif 000016
【図５】
2019053127.tif 000017
【図６】
2019053127.tif 000018
【図７Ａ】
2019053127.tif 000019
【図７Ｂ】
2019053127.tif 000020
【図７Ｃ】
2019053127.tif 000021
【図８】
2019053127.tif 000022
【図９】
2019053127.tif 000023
【図１０Ａ】
2019053127.tif 000024
【図１０Ｂ】
2019053127.tif 000025
【図１０Ｃ】
2019053127.tif 000026
【図１０Ｄ】
2019053127.tif 000027
【図１１Ａ】
2019053127.tif 000028
【図１１Ｂ】
2019053127.tif 000029
【図１２】
2019053127.tif 000030
【図１３】
2019053127.tif 000031